(57)【要約】  本発明は、マッサージャーの技術分野に関するものであり、ヘッドマッサージャー及びそのヘルメットのサイズ調整構造を提供する。ヘルメットのサイズ調整構造は、２つのラックと、回転軸と歯車とを有する調整装置とを備え、歯車の上部と下部はそれぞれ各ラックと噛み合い、回転軸にはノブアセンブリとロックアセンブリとが設けられ、さらに２つの引張ばねが備えられ、それぞれの引張ばねの前端はリアハウジングに固定され、それぞれの引張ばねの後端は２つのラックにそれぞれ固定され、ノブアセンブリはノブ外輪と、ノブシェルと、ギアベースとを含み、ロックアセンブリはノブロックと、ノブロック上蓋と、弾性体とを含み、ギアベースはノブロック内にあり、ギアベースには単向ギアリングが設けられ、ノブロックには単向ギアリングに係止可能なロックが設けられ、弾性体はノブロック上蓋に設けられ、ギアベースにはさらに歯が設けられ、歯は歯車と噛み合う。本発明において、ノブとボタンが一体化され、２つの方式によりヘルメットの調整が図れ、操作構造はより便利で、内部構造はより信頼性が高い。【選択図】図５
2016520731.tif 000002
【特許請求の範囲】
【請求項１】
ヘッドマッサージャーのヘルメットのフロントハウジングとリアハウジングとの間に設けられ、前記フロントハウジングと前記リアハウジングとの間に接続された２つのラックを含み、前記２つのラックの後端部は互いに重畳し、重畳した箇所が調整装置により相対的に収縮或いは拡張し、前記調整装置は、外から内へ伸び入る回転軸と前記回転軸の内端部に設けられた歯車とを含み、前記歯車の上部及び下部のそれぞれと各ラックとは噛み合い、前記回転軸の外端部はさらにノブアセンブリと前記ノブアセンブリをロックするロックアセンブリとを有するヘルメットのサイズ調整構造において、２つの引張ばねをさらに含み、前記引張ばねのそれぞれの前端は前記リアハウジングに固定され、前記引張ばねのそれぞれの後端は前記２つのラックにそれぞれ固定され、前記ノブアセンブリはノブ外輪と、前記ノブ外輪に組み合わさるノブシェルと、前記ノブシェル内に設けられ前記ノブ外輪及びノブシェルとともに回転可能なギアベースとを含み、前記ロックアセンブリは、前記ノブ外輪及び前記ノブシェル内に設けられたノブロックと、前記ノブロックと係合するノブロック上蓋と、弾性体とを含み、前記ギアベースは前記ノブロック内にあり、前記ギアベースには単向ギアリングが設けられ、前記ノブロックには前記単向ギアリングに係止可能なロックが設けられ、前記弾性体は、前記ノブロック上蓋に設けられ、前記ノブロック上蓋に突き当たることで前記ノブロックを押し付け、よって、前記ロックと前記単向ギアリングとは組み合いしっかりと係合し、前記ギアベースにはさらに歯が設けられ、前記歯は前記ノブロック及び前記ノブシェルを順次通過して前記歯車と噛み合うことを特徴とするヘルメットのサイズ調整構造。
【請求項２】
前記ギアベースは、ベース体と、前記ベース体に設けられた突起とを含み、前記単向ギアリングは、前記ベース体の一方の表面の周縁に設けられ、前記歯は前記突起に設けられ、かつ、前記歯は２つのグループが対向して設置されていることを特徴とする請求項１に記載のヘルメットのサイズ調整構造。
【請求項３】
前記ベース体にはさらに２つの固定柱が設けられ、前記２つの固定柱は前記突起を中心にして対称に設けられ、前記固定柱のそれぞれには固定穴が設けられ、前記ノブシェルには各前記固定穴内にそれぞれ伸び入れることができる接続柱が対応して設けられ、前記ノブ外輪の内側には２つの接続穴が設けられ、前記ノブシェルの内側には前記２つの接続穴内にそれぞれ係入可能な接続突起が設けられていることを特徴とする請求項２に記載のヘルメットのサイズ調整構造。
【請求項４】
前記ノブロックの内側には第１スロットがさらに設けられ、前記ノブロック上蓋には内側へ延びた第１フックが設けられ、前記第１フックの外向きの鉤が第１スロット内に配置されることを特徴とする請求項１に記載のヘルメットのサイズ調整構造。
【請求項５】
前記ノブロック上蓋の中心には内側に向かってボスが延伸し、前記弾性体は前記ボスを外嵌し、前記回転軸は前記ボスの中心を通過して、前記回転軸に段差が設けられ、前記弾性体の他端が前記段差の箇所に至っていることを特徴とする請求項１に記載のヘルメットのサイズ調整構造。
【請求項６】
前記ノブロック上蓋には、さらに、回転防止片が固定されていることを特徴とする請求項５に記載のヘルメットのサイズ調整構造。
【請求項７】
前記回転防止片は中心穴を有し、前記回転軸の端部は、前記中心穴から伸び出してボルトにより固定され、前記回転防止片には、前記ノブロック上蓋に挿入される接続軸がさらに対応して設けられていることを特徴とする請求項６に記載のヘルメットのサイズ調整構造。
【請求項８】
前記ノブロック上蓋の外側にはノブボタンがさらに設けられ、前記ノブ外輪の内部は中空であり、前記ノブボタンは、前記ノブ外輪の中空穴から露出していることを特徴とする請求項１に記載のヘルメットのサイズ調整構造。
【請求項９】
前記ノブロック上蓋には第２スロットが設けられ、前記ノブボタンには前記第２スロット内に係入可能な第２フックが設けられていることを特徴とする請求項８に記載のヘルメットのサイズ調整構造。
【請求項１０】
ヘルメットを有するヘッドマッサージャーにおいて、前記ヘルメットには、請求項１から９の何れか一項に記載のヘルメットのサイズ調整構造が対称に設けられていることを特徴とするヘッドマッサージャー。
【発明の詳細な説明】
【技術分野】
【０００１】
本発明は、マッサージャーの技術分野に関し、より具体的には、ヘッドマッサージャー及びそのヘルメットのサイズ調整構造に関するものである。
【背景技術】
【０００２】
従来のヘッドマッサージャーは、異なるユーザーに対応するために、一般にヘルメットの大きさを調整することができる。本社製のヘッドマッサージャーのシリーズは、手で引っ張ることにより第１のハウジングと第２のハウジングを相対的に移動させることで、間隔の調整を図る。このような間隔調整構造は操作し難く、信頼性が相対的に低くかつ構造が複雑で、コストが高いので、改良が期待されている。
【発明の概要】
【発明が解決しようとする課題】
【０００３】
本発明は、従来技術における操作し難く、信頼性が低く、コストが高いという問題を解決するために、ヘッドマッサージャー及びそのヘルメットのサイズ調整構造を提供することを目的とする。
【課題を解決するための手段】
【０００４】
上述した技術問題を解決するために、本発明の技術的解決手段は、ヘッドマッサージャーのヘルメットのフロントハウジングとリアハウジングとの間に設けられ、前記フロントハウジングと前記リアハウジングとの間に接続された２つのラックを含み、前記２つのラックの後端部は互いに重畳し、重畳した箇所が調整装置により相対的に収縮或いは拡張し、前記調整装置は、外から内へ伸び入る回転軸と前記回転軸の内端部に設けられた歯車とを含み、前記歯車の上部及び下部のそれぞれと各ラックとは噛み合い、前記回転軸の外端部はさらにノブアセンブリと前記ノブアセンブリをロックするロックアセンブリとを有し、２つの引張ばねをさらに含み、前記引張ばねのそれぞれの前端は前記リアハウジングに固定され、前記引張ばねのそれぞれの後端は前記２つのラックにそれぞれ固定され、前記ノブアセンブリはノブ外輪と、前記ノブ外輪に組み合わされるノブシェルと、前記ノブシェル内に設けられ前記ノブ外輪及びノブシェルとともに回転可能なギアベースとを含み、前記ロックアセンブリは前記ノブ外輪及び前記ノブシェル内に設けられたノブロックと、前記ノブロックと係合するノブロック上蓋と、弾性体とを含み、前記ギアベースは前記ノブロック内にあり、前記ギアベースには単向ギアリングが設けられ、前記ノブロックには前記単向ギアリングに係止可能なロックが設けられ、前記弾性体は、前記ノブロック上蓋に設けられ、前記ノブロック上蓋に突き当たることで前記ノブロックを押し付け、よって、前記ロックと前記単向ギアリングとは組み合いしっかりと係合し、前記ギアベースにはさらに歯が設けられ、前記歯は前記ノブロック及び前記ノブシェルを順次通過して前記歯車と噛み合うヘルメットのサイズ調整構造を提供する。
【０００５】
具体的には、前記ギアベースは、ベース体と、前記ベース体に設けられた突起とを含み、前記単向ギアリングは、前記ベース体の一方の表面の周縁に設けられ、前記歯は前記突起に設けられ、かつ、前記歯は２つのグループが対向して設置されている。
【０００６】
具体的には、前記ベース体にはさらに２つの固定柱が設けられ、前記２つの固定柱は前記突起を中心にして対称に設けられ、前記固定柱のそれぞれには固定穴が設けられ、前記ノブシェルには各前記固定穴内にそれぞれ伸び入れることができる接続柱が対応して設けられ、前記ノブ外輪の内側には２つの接続穴が設けられ、前記ノブシェルの内側には前記２つの接続穴内にそれぞれ係入可能な接続突起が設けられている。
【０００７】
具体的には、前記ノブロックの内側には第１スロットがさらに設けられ、前記ノブロック上蓋には内側へ延びた第１フックが設けられ、前記第１フックの外向きの鉤は第１スロット内に配置される。
【０００８】
具体的には、前記ノブロック上蓋の中心には内側に向かってボスが延伸し、前記弾性体は前記ボスを外嵌し、前記回転軸は前記ボスの中心を通過して、前記回転軸に段差が設けられ、前記弾性体の他端が前記段差の箇所に至っている。
【０００９】
具体的には、前記ノブロック上蓋には、さらに、回転防止片が固定されている。
【００１０】
具体的には、前記回転防止片は中心穴を有し、前記回転軸の端部は、前記中心穴から伸び出してボルトにより固定され、前記回転防止片には、前記ノブロック上蓋に挿入される接続軸がさらに対応して設けられている。
【００１１】
具体的には、前記ノブロック上蓋の外側にはノブボタンがさらに設けられ、前記ノブ外輪の内部は中空であり、前記ノブボタンは、前記ノブ外輪の中空穴から露出している。
【００１２】
具体的には、前記ノブロック上蓋には第２スロットが設けられ、前記ノブボタンには前記第２スロット内に係入可能な第２フックが設けられている。
【００１３】
本発明は、ヘルメットを有し、前記ヘルメットには、上述したサイズ調整構造が対称に設けられているヘッドマッサージャーを提供する。
【発明の効果】
【００１４】
本発明において、ヘルメットを小さく調整しようとする場合には、ノブ外輪を回し、ノブ外輪によりギアベースを動かし回転させる。ノブロックのロックと組み合うギアベースのギアリングは単向であるので、ギアリングとロックとの間の斜面の作用によりギアベースとロックとの間のロックを解除し、ギアベースを回転させ、歯車を動かし回転させ、歯車により２つのラックを動かし相対的に収縮させる。このことにより、フロントハウジングは後へ向かって移動し、ヘルメットは小さくなる。この過程中に、２つの引張ばねの後端のそれぞれは２つのラックに随って移動する。２つの引張ばねが長く引かれ、適当な位置に調整した時に、ノブ外輪を緩めると、ノブロックは弾性体の弾力性による押し付け作用で再びギアベースの単向ギアリングに組み合わさりしっかりと係合され、ギアベースと歯車は回転することができなくなり、フロントハウジングとリアハウジングが相対的に固定される。ユーザーがマッサージしている中で、マッサージの強さが大きくて我慢できないと感じたり、使用したくなかったりする場合、あるいは、ヘルメットを大きく調整しようとする場合には、ノブロック上蓋を押して、弾性体でノブロックを逆方向に移動させてギアベースとのロックを解除する。このようにして、ギアベースは回転可能になり、歯車も拘束されなくなり、引張ばねは解放され、フロントハウジングは瞬間的に前へ弾き戻され、ラックは引張ばねの作用で元の位置に移動する。したがって、フロントハウジングとリアハウジングとの間の間隔が大きくなる。つまり、ヘルメットは大きく調整される。上述したサイズ調整構造において、ノブとボタンが一体化されており、２つの方式によりヘルメットの調整が図れ、このような操作構造はより便利で、かつ、内部構造はより信頼性が高い。
【図面の簡単な説明】
【００１５】
【図１】本発明の実施形態におけるヘッドマッサージャーのヘルメットが大きく調整された場合の構造を模式的に示す図である。
【図２】本発明の実施形態におけるヘッドマッサージャーのヘルメットが小さく調整された場合の構造を模式的に示す図である。
【図３】本発明の実施形態におけるヘッドマッサージャーのヘルメットが大きく調整された場合の側面図である。
【図４】本発明の実施形態におけるヘッドマッサージャーのヘルメットが大きく調整された場合のリアハウジングのパネルを取り外した時の構造を模式的に示す図である。
【図５】本発明の実施形態におけるヘッドマッサージャーのヘルメットの分解図である。
【図６】図５中のＡ部の拡大図である。
【図７】本発明の実施形態におけるヘッドマッサージャーのノブアセンブリとロックアセンブリの分解図である。
【図８】本発明の実施形態におけるヘッドマッサージャーのノブアセンブリとロックアセンブリを他の角度から見た分解図である。
【図９】本発明の実施形態におけるヘッドマッサージャーのヘルメットの断面図１である。
【図１０】図９中のＢ部の拡大図である。
【図１１】本発明の実施形態におけるヘッドマッサージャーのヘルメットの断面図２である。
【図１２】図１１中のＣ部の拡大図である。
【発明を実施するための形態】
【００１６】
本発明の目的、態様及び利点をさらに明らかにするために、以下、添付図面及び実施形態を組み合わせて、本発明についてさらに詳しく説明する。ここに述べている具体的な実施形態が本発明を限定するものではなく、ただ本発明を説明するものに過ぎないと理解すべきである。
【００１７】
図１から図４に示すように、本発明はヘッドマッサージャーを提供する。このヘッドマッサージャーはヘルメット状をなす。このヘルメットはフロントハウジング１００とリアハウジング２００とから構成される。このヘルメットの大きさは、フロントハウジング１００とリアハウジング２００との間に設けられたサイズ調整構造により調整され、異なるユーザーの頭型に適応する。
【００１８】
図５から図８に示すように、前記ヘルメットのサイズ調整構造は、フロントハウジング１００とリアハウジング２００との間を接続する２つのラック３００を備えている。２つのラック３００の前端部はフロントハウジング１００にそれぞれ接続し、２つのラック３００の後端部はリアハウジング２００において互いに重畳し、そして、重畳箇所は調整装置４００により相対的に収縮或いは拡張し、これによってリアハウジング２００に相対して移動するフロントハウジング１００を動かす。具体的には、調整装置４００は、外から内へ向かってリアハウジング２００へ伸びて入って行く回転軸４１０と、回転軸４１０の内端部に設けられた歯車４２０とを備えている。２つのラック３００の重畳部分は、共に歯溝３１０を有し、その一方のラック３００の歯溝３１０に上歯３１１が設けられ、他方のラック３００の歯溝３１０に下歯３１２が設けられ、歯車４２０の上部及び下部は、それぞれ、上歯３１１、下歯３１２と噛み合っている。これにより、歯車４２０が回転する時に、上歯３１１、下歯３１２と噛み合い、２つのラック３００を動かして相対的に収縮或いは拡張し、これによってヘルメットを小さく、または、大きく調整することができる。歯車４２０の外側にはさらにギアカバー４３０が固定されている。回転軸４１０の外端部には、ノブアセンブリ５００と、ノブアセンブリ５００をロックするロックアセンブリ６００がさらに設けられている。ノブアセンブリ５００は、ノブ外輪５１０と、ノブ外輪５１０に組み合わさるノブシェル５２０と、ノブシェル５２０内に設けられノブ外輪５１０及びノブシェル５２０とともに回転可能なギアベース５３０とを備えている。ロックアセンブリ６００は、ノブ外輪５１０及びノブシェル５２０内に設けられたノブロック６１０と、ノブロック６１０に係合するノブロック上蓋６２０と、弾性体６３０とを備えている。ギアベース５３０はノブロック６１０内にあり、ギアベース５３０には単向ギアリング５３１が設けられ、ノブロック６１０には単向ギアリング５３１を係止可能なロック６１１が設けられている。このようにして、ロック６１１と単向ギアリング５３１の組み合わせによりギアベース５３０は回転しないようにロックされる。さらに、弾性体６３０は、ノブロック上蓋６２０に設けられノブロック上蓋６２０に突き当たりノブロック６１０を押し付けることにより、ロック６１１と単向ギアリング５３１とは組み合いしっかりと係合する。また、ギアベース５３０には歯５３２がさらに設けられ、歯５３２は、ノブロック６１０及びノブシェル５２０を順次通過して歯車４２０と噛み合っている。本実施形態において、サイズ調整構造は、２つの引張ばね７００をさらに備え、各引張ばね７００の前端は、リアハウジング２００に固定され、各引張ばね７００の後端は２つのラック３００にそれぞれ固定されている。本実施形態において、ヘルメットを小さく調整しようとする場合には、ノブ外輪５１０を回し、ノブ外輪５１０によりギアベース５３０を動かして回転させる。ノブロック６１０のロック６１１と組み合うギアベース５３０のギアリングは単向であるので、単向ギアリング５３１とロック６１１との間の斜面の作用を利用してギアベース５３０とロック６１１との間のロックを解除する。ギアベース５３０が回転し、そして、歯車４２０が連動して回転する。歯車４２０は２つのラック３００を連動させて相対的に収縮させる。これにより、フロントハウジング１００は後へ向かって移動し、ヘルメットは小さくなる。この過程の中で、２つの引張ばね７００の後端はそれぞれ２つのラック３００とともに移動し、２つの引張ばね７００は引き伸ばされ、適当な位置に調整され、ノブ外輪５１０を緩める。弾性体６３０の弾力性による押し付け作用により再びギアベース５３０の単向ギアリング５３１にノブロック６１０を組み合わせてしっかりと係合し、ギアベース５３０と歯車４２０を回転できなくする。これによりフロントハウジング１００とリアハウジング２００は相対的に固定される。一方、ユーザーがマッサージしている中に、マッサージの強さが大きくて我慢できないと感じたり、使用したくなかったりする場合、あるいは、ヘルメットを大きく調整しようとする場合には、ノブロック上蓋６２０を押して、弾性体６３０でノブロック６１０を逆方向に移動させてギアベース５３０とのロックを解除する。このようにして、ギアベース５３０は回転可能になり、歯車４２０も拘束されなくなり、引張ばね７００は解放され、フロントハウジング１００は瞬間的に前へ弾き戻され、フロントハウジング１００とリアハウジング２００との間の間隔は大きくなる。つまり、ヘルメットが大きく調整される。本実施形態によるサイズ調整構造では、ノブとボタンが一体化されており、２つの方式によりヘルメットの調整を実現し、このような操作構造はより便利で、内部構造はより信頼性が高い。
【００１９】
具体的には、図７、図８に示すように、ギアベース５３０は、円盤状をなすベース体５３３と、ベース体５３３の中心に設けられた円柱状の突起５３４とが備え、単向ギアリング５３１は、ベース体５３３の一方の表面の周縁に設けられ、突起５３４と単向ギアリング５３１が同一の表面に設けられている。歯５３２が突起５３４に設けられ、歯５３２には相対的に設けられた２つのグループがあり、２グループの歯５３２は突起５３４の円周にある。このようにして、２グループの歯５３２は全て歯車４２０に噛み合うことができる。
【００２０】
本実施形態において、ノブ外輪５１０、ノブシェル５２０及びギアベース５３０の三者は、一体に形成される上記ノブアセンブリ５００に固定され、三者は一緒に回転可能である。具体的には、三者間の接続関係は、ギアベース５３０のベース体５３３にさらに２つの固定柱５３５が設けられ、２つの固定柱５３５が突起５３４を中心にして対称に設置され、各固定柱５３５のぞれぞれには固定穴５３５１が設けられ、ノブシェル５２０は筒状構造とされ、一端には底板５２１を有し、他端には底板がなく全開口状とされ、底板５２１には中心穴を有し、底板５２１の内側には、各固定穴５３５１内にそれぞれ伸び入れることができる接続柱５２２が対応して設けられている。このようにして、接続柱５２２と固定穴５３５１との間の組み合わせてギアベース５３０とノブシェル５２０を固定させる。同時に、ノブ外輪５１０は環状構造とされ、その内側には２つの接続穴５１１を有し、ノブシェル５２０の内側には２つの接続穴５１１内にそれぞれ係入可能な接続突起５２３を有している。このようにして、接続突起５２３と接続穴５１１が組み合うことによってノブシェル５２０とノブ外輪５１０を固定させ、このような構造により、ノブ外輪５１０、ノブシェル５２０及びギアベース５３０が一体に接続される。
【００２１】
再び図７、図８を参照する。ノブロック６１０は、中空の筒状構造であり、その内壁には第１スロット６１２が設けられている。ノブロック上蓋６２０は円形蓋状構造であり、それは内側へ延びた第１フック６２１を有し、第１フック６２１は外向きに第１スロット６１２内に引っ掛けられる。さらに、ノブロック６１０の筒壁上にそのうえ２つの切り欠き６１３を有し、ノブロック上蓋６２０には２つの切り欠き６１３内にそれぞれ係止可能な係止ブロック６２２を有する。このようにして、切り欠き６１３と係止ブロック６２２との組み合いにより、ノブロック６１０とノブロック上蓋６２０の取り付ける時の位置決めが容易になるだけでなく、両方の間の接続もさらに緊密になる。
【００２２】
図９から図１２に示すように、本実施形態において、ノブロック上蓋６２０の中心から内側へボス６２３が延びており、弾性体６３０はボス６２３を外嵌し、回転軸４１０はボス６２３の中心を通過し、回転軸４１０には段差４１１が設けられ、弾性体６３０の他端は段差４１１の箇所に至っている。具体的には、弾性体６３０は、ばねである。ノブロック上蓋６２０の第１フック６２１は外向きにノブロック６１０の第１スロット６１２内に引っ掛けられ、弾性体６３０が予め組み立てられる時にその箇所を圧縮状態にし、外側のノブロック上蓋６２０に対して外向けの作用力を有する。それため、この作用力も間接的に第１スロット６１２に対する外向きの作用力を第１フック６２１に付与する。この場合、ノブロック６１０も外向きの作用力を受けて、ギアベース５３０との組み合いをさらに緊密にする。
【００２３】
さらに、ノブロック上蓋６２０が回転しないように、ノブロック上蓋６２０にはさらに回転防止片８００が固定されている。具体的には、回転防止片８００は矩形ブッロク構造であり、中心穴８１０が設けられ、回転軸４１０の端部が中心穴８１０から伸び出てボルトにより固定されている。回転軸４１０とリアハウジング２００が固定されることによりそれらは回転できない。このようにして、回転防止片８００も固定されて動けず、回転もできない。一方、回転防止片８００は、また、ノブロック上蓋６２０に固定されているので、ノブロック上蓋６２０も回転できない。具体的には、回転防止片８００にはノブロック上蓋６２０に対応して挿入される接続軸８２０が設けられ、接続軸８２０により回転防止片８００がノブロック上蓋６２０に固定されている。
【００２４】
本実施形態において、ノブロック上蓋６２０をより良好に押し動かせるようにするため、ノブロック上蓋６２０の外側にノブボタン６４０をさらに設ける。ノブ外輪５１０の内部は中空で、ノブボタン６４０はノブ外輪５１０の中空穴から露出している。このようにすることで、ノブボタン６４０を押圧するのに便利となっている。具体的には、ノブロック上蓋６２０に第２スロット６２４を設け、ノブボタン６４０に、第２スロット６２４内に係入可能な第２フック６４１を設ける。このようにして、第２スロット６２４と第２フック６４１の組み合わせノブボタン６４０をノブロック上蓋６２０に固定する。
【００２５】
再び図１０を参照する。ヘルメットを小さく調整する必要がある時には、ノブ外輪５１０を回し、ノブ外輪５１０によりギアベース５３０を動かし回転させる。ノブロック６１０のロックと組み合うギアベース５３０のギアリングは単向であるので、単向ギアリング５３１とロック６１１との間の斜面の作用によりギアベース５３０とロック６１１との間のロックを解除し、ギアベース５３０を回転させ、歯車４２０を動かして回転させる。歯車４２０により２つのラック３００を動かし相対的に収縮させる。したがって、フロントハウジング１００は後へ向かって移動し、ヘルメットは小さくなる。この過程中に、２つの引張ばね７００の後端のそれぞれは２つのラック３００に随って移動する。２つの引張ばね７００が長く引かれ、適当な位置に調整された時、ノブ外輪５１０を緩め、ノブロック６１０を弾性体６３０の押し付け作用で外向きに移動させる。このようにして、ノブロック６１０のロック６１１は再びギアベース５３０の単向ギアリング５３１に組み合わさりしっかりと係合され、ギアベース５３０と歯車４２０は回転することができない。したがって、フロントハウジング１００とリアハウジング２００は相対的に固定される。
【００２６】
再び図１２を参照する。ユーザーがマッサージしている中で、マッサージの強さが大きくて我慢できないと感じたり、使用したくなかったりする場合、あるいは、ヘルメットを大きく調整しようとする場合には、ノブボタン６４０を押して、ノブロック上蓋６２０を内側に向かって移動させ、ノブロック６１０を押し動かし内側へ移動させる。このことにより、ノブロック６１０のロック６１１とギアベース５３０とのロックは解除され、ギアベース５３０は回転可能になり、歯車４２０も拘束されなくなり、引張ばね７００は解放され、フロントハウジング１００は瞬間的に前へ弾き戻され、ラック３００は引張ばね７００の作用で元の位置に移動する。したがって、フロントハウジングとリアハウジングとの間の間隔が大きくなる。つまり、ヘルメットは大きく調整される。
【００２７】
上述したように、本実施形態において、回転と押動という２つの操作方式を採用して大きさの調整を実現し、操作がさらに容易になるとともに、調整構造が一体化され、構造がさらに簡素化し、コストが低減され、製品の信頼性及び市場競争力が向上する。
【００２８】
以上は、本発明を制限するものではなく、ただ本発明の好ましい実施形態に過ぎないが、本発明の精神及び原則内に作られた何れの修正、等価の置換や改良なども、本発明の保護範囲内に含まれるべきである。
【符号の説明】
【００２９】
１００ フロントハウジング
２００ リアハウジング
３００ ラック
３１０ 歯溝
３１１ 上歯
３１２ 下歯
４００ 調整装置
４１０ 回転軸
４１１ 段差
４２０ 歯車
４３０ ギアカバー
５００ ノブアセンブリ
５１０ ノブ外輪
５１１ 接続穴
５２０ ノブシェル
５２１ 底板
５２２ 接続柱
５２３ 接続突起
５３０ ギアベース
５３１ 単向ギアリング
５３２ 歯
５３３ ベース体
５３４ 突起
５３５ 固定柱
５３５１ 固定穴
６００ ロックアセンブリ
６１０ ノブロック
６１１ ロック
６１２ 第１スロット
６１３ 切り欠き
６２０ ノブロック上蓋
６２１ 第１フック
６２２ 係止ブロック
６２３ ボス
６２４ 第２スロット
６３０ 弾性体
６４０ ノブボタン
６４１ 第２フック
７００ 引張ばね
８００ 回転防止片
８１０ 中心穴
８２０ 接続軸
【図１】
2016520731.tif 000003
【図２】
2016520731.tif 000004
【図３】
2016520731.tif 000005
【図４】
2016520731.tif 000006
【図５】
2016520731.tif 000007
【図６】
2016520731.tif 000008
【図７】
2016520731.tif 000009
【図８】
2016520731.tif 000010
【図９】
2016520731.tif 000011
【図１０】
2016520731.tif 000012
【図１１】
2016520731.tif 000013
【図１２】
2016520731.tif 000014
【国際調査報告】
2016520731.tif 000015
2016520731.tif 000016
2016520731.tif 000017
2016520731.tif 000018
2016520731.tif 000019
2016520731.tif 000020